(57)【要約】【課題】プランジャーの振れを簡易な構造で防止することができ、高密度化された配線回路の検査を高精度に行なうことができる検査治具を提供する。【解決手段】治具ベース２に進退自在に保持されたプランジャー３を設ける。プランジャー３は、基部６に治具ベース２の外方へ延出する延出部７を偏心させて連結する連結部８とを備える。治具ベース２は、連結部８を保持する一対の板部材１３ａ，１３ｂを備え、両板部材１３ａ，１３ｂは、連結部８を案内する案内部１９を備える。案内部１９は、両板部材１３ａ，１３ｂに形成された同形の略真円形の穴１９ａ，１９ｂからなる。両穴１９ａ，１９ｂの周縁の一部が偏心方向に直行する方向から連結部８に当接する。【選択図】図２
2006170633.tif 000002
【特許請求の範囲】
【請求項１】
複数の板部材を積層してなる治具ベースと、該治具ベースに軸線方向に進退自在に保持されたプランジャーと、前記治具ベースに収容されてプランジャーを前進方向に付勢するスプリングとを備え、前記プランジャーは、前記スプリングに一端が連接する基部と、該基部の他端側から延出してプリント配線板の配線回路に当接する尖端が形成された延出部と、該延出部の軸線を基部の軸線に対して偏心させて基部に延出部を連結する連結部とを備えるプリント配線板の検査治具において、
前記治具ベースは、前記連結部を保持する位置に互いに重合する一対の板部材を備え、
両板部材は、前記連結部を摺動自在に収容して前記延出部の進退方向に案内する案内部を備え、
該案内部は、両板部材に形成された前記連結部が貫通する同形の略真円形の穴からなり、両穴の互いに対向する内周縁の一部同士を、延出部と基部との偏心方向に直行する方向から連結部に当接する方向に接近させて形成されていることを特徴とするプリント配線板の検査治具。
【発明の詳細な説明】
【技術分野】
【０００１】
本発明は、プリント配線板の配線回路の検査を行なう際に用いられるプリント配線板の検査治具に関する。
【背景技術】
【０００２】
この種のプリント配線板の検査治具は、治具ベースに比較的狭い間隔を存して一対のプランジャーが保持されており、両プランジャーの尖端をプリント配線板の配線回路に当接させることにより配線回路の導通検査等が行なわれる。
【０００３】
そして、近年では、高密度化された配線回路に対応すべく、一対のプランジャーの間隔を一層狭くすることが行われている。しかし、各プランジャーは、配線回路への当接状態を確実とする付勢手段（スプリング）や各プランジャーにリード線を接続するためのコネクタが各別に必要であり、これらの部品をプランジャーと共に治具ベースに保持しなければならないために、一対のプランジャーの間隔を狭くすることにも限界がある。
【０００４】
そこで、従来、各プランジャーを、治具ベース内に収める基部と治具ベースから延出して配線回路に当接される尖端を有する延出部とで分割して構成し、基部の一部と延出部の一部とを連結部を介して連結したものが知られている（特許文献１参照）。この連結部は、ハンダ等の導電性を有する接合手段を用いて基部の一部外側に延出部の一部を接合した部分であり、延出部の軸線が基部の軸線に対して偏心して各プランジャーが形成される。これによれば、一対のプランジャーの延出部が互いに近接する向きに偏心方向を互いに対向させることで、両プランジャーの尖端同士の間隔を極めて狭くすることができ、一方、基部同士の間隔を十分に得て前記付勢手段（スプリング）やコネクタを収容するスペースを確保することができる。
【０００５】
ところで、各プランジャーを保持する治具ベースは、複数の板部材を積層して形成されており、各板部材にはプランジャーを貫通保持して摺動自在に案内する略真円形の穴からなる案内部が設けられている。即ち、延出部及び基部を夫々保持する位置にある各板部材の案内部は、延出部の外径に対応する内径の穴及び基部の外径に対応する内径の穴とされており、連結部を保持する位置にある板部材の案内部は、連結部が隣接する延出部と基部とによって形成されているために、延出部の外径に基部の外径を加えた寸法の内径を有する穴とされている。
【０００６】
しかし、前記連結部の形状は、延出部と基部とが隣接して接合された形状であるため、偏心方向の外寸と偏心方向に直行する方向の外寸とが異なっており、該連結部と略真円形の穴による案内部との間には隙間部分が多く形成される。このため、案内部による連結部の規制が不十分とされて（特に穴の周方向に沿った連結部の回転が規制されない）、プランジャーに振れが生じる。そしてその影響で、プリント配線板の配線回路にプランジャーの延出部の尖端を当接したときに所望の位置からの位置ずれが生じ、高密度化された配線回路の検査精度が低下する不都合がある。
【０００７】
そこで、連結部を保持する位置にある板部材においては、連結部に対応する形状の穴（即ち、略楕円形状の穴）を形成し、該連結部と案内部との間の隙間部分を小とすることが考えられる。しかし、プランジャーは微細な配線回路に対応してその外径が極めて小さいために、案内部の各穴径も極めて小さく、連結部に対応して連結部の摺動を維持しつつ規制するような精度の高い略楕円形状の穴を板部材に加工形成することは極めて困難である。
【特許文献１】特開２００２−３５０４８７号公報（図１）
【発明の開示】
【発明が解決しようとする課題】
【０００８】
かかる不都合を解消して、本発明は、プランジャーの振れを簡易な構造で防止することができ、高密度化された配線回路の検査を高精度に行なうことができる検査治具を提供することを目的とする。
【課題を解決するための手段】
【０００９】
かかる目的を達成するために、本発明は、複数の板部材を積層してなる治具ベースと、該治具ベースに軸線方向に進退自在に保持されたプランジャーと、前記治具ベースに収容されてプランジャーを前進方向に付勢するスプリングとを備え、前記プランジャーは、前記スプリングに一端が連接する基部と、該基部の他端側から延出してプリント配線板の配線回路に当接する尖端が形成された延出部と、該延出部の軸線を基部の軸線に対して偏心させて基部に延出部を連結する連結部とを備えるプリント配線板の検査治具において、前記治具ベースは、前記連結部を保持する位置に互いに重合する一対の板部材を備え、両板部材は、前記連結部を摺動自在に収容して前記延出部の進退方向に案内する案内部を備え、該案内部は、両板部材に形成された前記連結部が貫通する同形の略真円形の穴からなり、両穴の互いに対向する内周縁の一部同士を、延出部と基部との偏心方向に直行する方向から連結部に当接する方向に接近させて形成されていることを特徴とする。
【００１０】
本発明によれば、連結部を保持する位置では、一対の板部材によって前記案内部が形成されている。この案内部は、一方の板部材に形成された略真円形の穴と、他方の板部材に形成された略真円形の穴とにより構成されている。そして、両穴は延出部と基部との偏心方向に直行する方向に互いに位置をずらした状態とされている。これにより、両穴によって形成された案内部は、一対の円弧形状の内縁が互いに対向する形状とされ、延出部と基部との偏心方向に沿った間隔より偏心方向に直行する方向の間隔が狭い形状に開口される。前記連結部は、延出部の軸線を基部の軸線に対して偏心させて連結しているので、当該部分の形状は、延出部と基部との偏心方向に沿った幅寸法より偏心方向に直行する方向の幅寸法が小さい。従って、前記連結部は、両穴によって形成された一対の円弧形状の内縁が互いに対向する形状の内部に保持されるので、偏心方向からだけでなく偏心方向に直行する方向からも規制され、プランジャーの尖端の振れを防止して高密度化された配線回路の検査を極めて高い精度で行うことができる。しかも、案内部を形成するための穴は、略楕円形状の穴を高精度に形成する必要がなく、一対の板部材において夫々同じ略真円形に形成すればよいので、極めて容易に加工形成することができる。
【発明を実施するための最良の形態】
【００１１】
本発明の一実施形態を図面に基づいて説明する。図１は本実施形態の検査治具の要部構成を縦断面視して示す説明図、図２は第１の板部材を取り除いて示す説明的平面図、図３は本実施形態の検査治具の組立て工程の一部を示す説明図、図４及び図５はプランジャーの他の形態を示す説明図である。
【００１２】
本実施形態の検査治具１は、図１に示すように、治具ベース２と、該治具ベース２に進退自在に保持された互いに隣り合って位置する少なくとも一対のプランジャー３と、各プランジャー３を前進方向に付勢するスプリング４とを備え、両プランジャー３の尖端５を、図示しないプリント配線板の配線回路に圧接させて配線間の導通検査を行なうものである。
【００１３】
前記プランジャー３は、導電性を得るために金属によって形成され、前記スプリング４に連接された基部６と、治具ベース２の外方に延出する延出部７と、延出部７を基部６に連結する連結部８とによって構成されている。延出部７に形成された尖端５は、該延出部７の互いに対向する側の周縁に形成されている。
【００１４】
連結部８は、基部６の側面に延出部７の側面を、例えばハンダ等の導電性を有する接合手段を用いて接合することによって形成されている。また、該連結部８においては基部６の軸線ａに対して延出部７の軸線ｂが偏心される。このとき、両延出部７の偏心方向は、互いに接近する方向とされている。
【００１５】
前記スプリング４は、金属製であり、プランジャー３の基部６に電気的に接続された状態で連接される。また、スプリング４は、接点９に当接しており、該接点９はコネクタースリーブ１０を介して接続されたリード線１１によって図示しない計測手段に接続されている。該計測手段は、配線回路の電気的導通を計測するものである。
【００１６】
前記治具ベース２は、図１中上方から順に、第１〜第６の板部材１２，１３ａ，１３ｂ，１４，１５，１６が積層されることによって構成されている。第１の板部材１２は、前記延出部７が挿通する挿通孔１７と前記連結部８の段差を係止して抜け止めする第１係止部１８とを備えている。第１の板部材１２に重合された第２の板部材１３ａと、該第２の板部材１３ａに重合された第３の板部材１３ｂとは、前記連結部８を摺動自在に収容して延出部７の進退方向に案内する案内部１９を備えている。第３の板部材１３ｂに重合された第４の板部材１４は、前記基部６が挿通する挿通孔２０と前記連結部８の段差を係止して延出部７の所定の後退に規制する第２係止部２１とを備えている。これによって、プランジャー３は、治具ベース２の第１〜第４の板部材１２，１３ａ，１３ｂ，１４によって抜け止めされた状態で進退自在に保持される。
【００１７】
ここで、第２の板部材１３ａと第３の板部材１３ｂとに設けられた案内部１９について更に詳しく説明する。案内部１９は、図２に示すように、第２の板部材１３ａに形成された略真円形状の第１の穴１９ａと、第２の板部材１３ｂに形成された略真円形状の第２の穴１９ｂとによって構成されている。第１の穴１９ａと第２の穴１９ｂとは、前記連結部８における基部６の軸線ａと延出部７の軸線ｂとの偏心方向に直行して内周縁の一部が互いに接近する位置に夫々形成されている。こうすることにより、前記連結部８は、第１の穴１９ａと第２の穴１９ｂとの円弧形状の内縁が互いに対向する形状の内部に保持されるので、偏心方向だけでなく偏心方向に直行する方向からも規制され、プランジャー３の振れを防止することができる。
【００１８】
更に、図２に示すように、第１の穴１９ａと第２の穴１９ｂとは、プランジャー３を構成する基部６や延出部７の外径よりも大きな円形状に形成することができるので、第２の板部材１３ａ及び第３の板部材１３ｂへの加工が極めて容易である。
【００１９】
前記第４の板部材１４に重合された第５の板部材１５は、前記プランジャー３の基部６に連接されたスプリング４を収容するスプリング収容部２２を備え、該第５の板部材１５に重合された第６の板部材１６は、前記接点９を保持する接点保持部２３を備えている。
【００２０】
このように構成された検査治具１は、図１に示すように、基部６の軸線ａに対して延出部７の軸線ｂが互いに接近する方向に偏心され、しかも両尖端５が延出部７の互いに対向する側の周縁に形成されているので、プランジャー３やスプリング４の外径を小とすることなく、両尖端５の間隔寸法ｘを極めて小とすることができる。更に、プランジャー３は連結部８が前記案内部１９によって振れが防止された状態で治具ベース２に保持されるので、両尖端５の間隔寸法ｘを確実に維持することができる。これによって、本実施形態によれば、高密度化されたプリント配線板の配線回路の検査を精度良く確実に行なうことができる。
【００２１】
本実施形態の検査治具１は、次のようにして組み立てることができる。先ず、図３（ａ）に示すように、第４の板部材１４に第２の板部材１３ａ及び第３の板部材１３ｂを重合させ、第２の板部材１３の案内部１９と第４の板部材１４の挿通孔２０とを連通させる。次いで、図３（ｂ）に示すように、案内部１９及び挿通孔２０にプランジャー３の基部６及び連結部８を挿通保持させる。
【００２２】
続いて、図３（ｃ）に示すように、第２の板部材１３ａと第３の板部材１３ｂとを一体に上昇させて両尖端５を案内部１９の内部に位置させ、この状態で、第２の板部材１３ａに第１の板部材１２を重合させる。そして、図３（ｄ）に示すように、第１の板部材１２、第２の板部材１３ａ及び第３の板部材１３ｂを一体に下降させ、第３の板部材１３ｂを第４の板部材１４に重合させる。こうすることによって、両プランジャー３，３の尖端５，５を第１の板部材１２の両挿通孔１７，１７を挿通させるときに、両尖端５，５が両挿通孔１７，１７の隔壁部２４の下端角部に干渉することなく円滑に組立てを行なうことができる。
【００２３】
一方、第５の板部材１５及び第６の板部材１６については、図３（ｄ）に示すように、第６の板部材１６の接点保持部２３に接点９を装着した後、第６の板部材１６に第５の板部材１５を重合させ、該第５の板部材１５のスプリング収容部２２にスプリング４を挿入しておく。
【００２４】
その後、第５の板部材１５に第１の第１の板部材１２及び第２の板部材１３を積層した第４の板部材１４を重合させ、プランジャー３の基部６を第５の板部材１５のスプリング収容部２２内にあるスプリング４に当接させる。これにより、図１に示す検査治具１が形成される。
【００２５】
なお、本実施形態においては、図１に示すように、連結部８において基部６と延出部７とを偏心させてハンダ等によって接合したプランジャー３を採用したが、本発明におけるプランジャーの連結部はこれに限るものではない。例えば、図４に示すように、基部６と延出部７とが一体のプランジャー２６において、基部６と延出部７との境界位置を屈曲させて連結部８ｙとしてもよい。該連結部８ｙは延出部７の軸線ａを基部６の軸線ｂに対して偏心させるべく屈曲成形したものである。このプランジャー２６においても、図１示の治具ベース２に保持させれば、連結部８ｙは前記案内部１９により振れを防止して案内され、プランジャー２６の進退を精度良く行なうことができる。
【００２６】
それ以外には、図５に示すように、基部６と延出部７とが一体のプランジャー２７においては、基部６と延出部７との境界位置を鋸刃状に複数屈曲させて連結部８ｚを形成してもよい。これによっても、図１示の案内部１９に図５示の連結部８ｚを収容すれば、図１示のハンダ等によって接合した連結部８と同様に、該案内部１９における連結部８ｚの案内が精度良く行われ、プランジャー２７の進退を精度良く行なうことができる。
【図面の簡単な説明】
【００２７】
【図１】本発明の一実施形態の検査治具の要部構成を縦断面視して示す説明図。
【図２】第１の板部材を取り除いて示す説明的平面図。
【図３】本実施形態の検査じぐの組立工程の一部を示す説明図。
【図４】プランジャーの他の形態を示す説明図。
【図５】プランジャーの他の形態を示す説明図。
【符号の説明】
【００２８】
１…検査治具、２…治具ベース、３，２６，２７…プランジャー、５…尖端、６…基部、７…延出部、８，８ｙ，８ｚ…連結部、１３ａ…第２の板部材（一方の板部材）、１３ｂ…第３の板部材（他方の板部材）、１９…案内部、１９ａ…第１の穴（穴）、１９ｂ…第２の穴（穴）。
【図１】
2006170633.tif 000003
【図２】
2006170633.tif 000004
【図３】
2006170633.tif 000005
【図４】
2006170633.tif 000006
【図５】
2006170633.tif 000007